(57)【要約】      （修正有）【課題】運動時の息苦しさや暑さを軽減しつつ、運動を快適に行うことが可能な運動用マスクを提供する。【解決手段】運動用マスクは、伸縮性のある薄手の４枚のメッシュ素材の前面中心部に縫製ラインを有するように縫製して、立体的な形状とした２層の表材２と、速乾性、冷感性があり、表材のメッシュ素材と比較し１．１倍以上の厚手で硬度のある２枚の伸縮メッシュ素材を前面中心部に縫製ラインを有するように縫製して立体的に形成した立体的な内材４とを、表材、内材との間に隙間７ができるように立体的、かつ、互いの縫い目を内側にして縫製したマスク本体５と、マスク本体に取り付けた幅広のメッシュ素材からなる耳紐材６と、を有する。【選択図】図３
0003229427.tif 000002
【実用新案登録請求の範囲】
【請求項１】
複数層のメッシュ素材から形成されて前面中心部に縫製ラインを設けつつ立体的な形状とした表材と、
前記表材のメッシュ素材と同等か、或いは当該素材よりも硬質な１層又は複数層のメッシュ素材から形成されて前面中心部に縫製ラインを設けつつ立体的な形状とした内材と、
を、前記表材、内材との間に隙間ができるように、前記表材、内材の各前面中心部の縫製ラインの各縫い目を内側にして上部、下部を立体的に縫製して形成したマスク本体と、
前記マスク本体に取り付けたメッシュ素材からなる耳紐材と、
を有することを特徴とする運動用マスク。
【請求項２】
複数層の伸縮性のある薄手のメッシュ素材から形成されるとともに、前面中心部に縫製ラインを有するように縫製して立体的な形状とした表材と、
速乾性、冷感性があり前記表材のメッシュ素材と比較してそれと同等か、或いは１．１倍以上の厚手で硬度のある１層又は複数層の伸縮メッシュ素材から形成されて前面中心部に縫製ラインを設けつつ立体的な形状とした内材と、
を、前記表材、内材との間に隙間ができるように、前記表材、内材の各前面中心部の縫製ラインの各縫い目を内側にして上部、下部を立体的に縫製したマスク本体と、
前記マスク本体に取り付けた幅広のメッシュ素材からなる耳紐材と、
を有することを特徴とする運動用マスク。
【請求項３】
伸縮性のある４枚〜８枚の薄手のメッシュ素材から２層以上の複数層に形成されるとともに、前面中心部に縫製ラインを有するように縫製して立体的な形状とした表材と、
速乾性、冷感性があり、前記表材のメッシュ素材と比較してそれと同等か、或いは１．１倍以上の厚手で１〜２層からなる硬度のある伸縮メッシュ素材から形成されるとともに、前面中心部に縫製ラインを有するように縫製して立体的な形状とした立体的な内材と、
を、前記表材、内材との間に隙間ができるように、前記表材、内材の各前面中心部の縫製ラインの各縫い目を内側にして上部、下部を互いの縫い目を内側にして上部、下部を立体的に縫製して形成したマスク本体と、
前記マスク本体に取り付けた幅広のメッシュ素材からなる耳紐材と、
を有することを特徴とする運動用マスク。
【請求項４】
前記表材を形成するメッシュ素材の穴の穴径は、０．０１ｍｍ以上１．０ｍｍ以下であり、前記内材を形成するメッシュ素材の穴の穴径は、０．０１ｍｍ以上０．８ｍｍ以下であることを特徴とする請求項１乃至３のいずれか１項に記載の運動用マスク。
【請求項５】
前記内材を形成する伸縮メッシュ素材は、前記表材に対して伸縮性が０〜４０％程度低いものであることを特徴とする請求項１乃至４のいずれか１項に記載の運動用マスク。
【請求項６】
前記内材の色は、使用者の肌色に近似した色であることを特徴とする請求項１乃至５のいずれか１項に記載の運動用マスク。
【考案の詳細な説明】
【技術分野】
【０００１】
本考案は、新規な運動用マスクに関するものであり、詳しくは、各種の運動時、息苦しさや暑さを軽減しつつ、例えば、コロナ禍、マスクを着用しないと行うことができないような集団での運動（例えば、バレリーナ、バレエダンサーの集団で構成されるバレエ団における演舞等）を快適に行えるようにした新規な運動用マスクに関するものである。
【背景技術】
【０００２】
以下、添付する図８及び図９を参照して、従来存在する一般的なマスクについて概説する。
【０００３】
図８は、一般的なマスク５１を示すものであり、このマスク５１は、例えば、布材からなる表材５３とメッシュ素材からなる内材５４とを単に重合縫製してマスク本体５１Ａとし、このマスク本体５１Ａに耳紐材５５を取り付けて構成し、耳紐材５５を使用者Ｍの耳に掛けて前記マスク５１を使用者Ｍの鼻口周りに着用するようにしたものである。
【０００４】
しかし、図８に示す従来の一般的なマスク５１の場合、使用者Ｍの口元に縫い目等がないために、口や鼻の前方の隙間が狭く、また、マスク５１は密度の大きい素材からなるので、呼吸がし難く、汗がこもるため息苦しく汗が肌につきやすいという不都合な問題を包含している。
【０００５】
また、図９は、一般的なガーゼマスク又は不織布マスク６１を示すものであり、この一般的なガーゼマスク又は不織布マスク６１は、ガーゼ又は不織布を重ねた表材６２、内材６３を重合縫製してマスク本体６１Ａとし、このマスク本体６１Ａに耳紐材６４を取り付けて構成し、耳紐材５５を使用者Ｍの耳に掛けて前記マスク６１を使用者Ｍの鼻口周りに着用するようにしたものである。
【０００６】
しかし、図９に示す従来の一般的なガーゼマスク又は不織布マスク６１の場合、複数の素材がまとまって一枚を担うため密度が高く、呼吸数が多くなる運動時には息苦しい。
また。汗をかくと水分が閉じ込められるため蒸れる。そして、すぐに濡れて顔に貼りつく等の不快感が生じてしまう。
【０００７】
特許文献１には、洗浄により再利用可能な生地である洗浄再利用可能生地からなるマスク本体部と、前記洗浄再利用可能生地からなるカバー部により前記マスク本体部の内側が覆われて、上下高さ方向の端辺が閉口されることで左右幅方向の端辺が開口された開口部を有し、前記開口部から前記マスク本体部と前記カバー部との間に交換可能に微生物を含む粒子を捕捉可能な不織布フィルターが収容される不織布フィルター収容部と、を備える再利用可能マスクが提案されている。
【０００８】
特許文献２には、不織布で形成されたマスク本体と、前記マスク本体の幅方向の両側にそれぞれ設けられた掛け紐と、を備える立体不織布マスクであって、マスク本体は、前記幅方向に延びる外折曲部及び内折曲部を含む複数の襞部と、前記襞部において、重なり合った複数の前記不織布を固着させるシール部と、を備え、前記シール部は、装着者の鼻骨の両脇に位置する箇所に設けられている構成の立体不織布マスクが提案されている。
【０００９】
しかし、特許文献１の再利用可能マスク、特許文献２の立体不織布マスクのいずれも運動時の息苦しさや暑さの軽減を図る点については考慮されていないものである。
【先行技術文献】
【特許文献】
【００１０】
【特許文献１】登録実用新案第３２２７２２９号公報
【特許文献２】登録実用新案第３２２１０９５号公報
【考案の概要】
【考案が解決しようとする課題】
【００１１】
本考案は、従来における上記事情に鑑みてなされたものであり、運動時の息苦しさや暑さを軽減しつつ、運動を快適に行うことが可能な新規な運動用マスクを提供するものである。
【課題を解決するための手段】
【００１２】
本考案に係る運動用マスクは、例えば２〜４層の複数層のメッシュ素材で形成した表材と、前記表材のメッシュ素材と同等か、或いは当該表材よりも硬質な例えば１〜２層の複数層のメッシュ素材で形成した内材とを、前記表材、内材との間に隙間ができるように互いの縫い目（表材、内材の各前面中心部の縫製ライン）を内側にして上部、下部を立体的に縫製して形成したマスク本体と、前記マスク本体に取り付けたメッシュ素材からなる耳紐材と、を有することを最も主要な特徴とする。
【考案の効果】
【００１３】
請求項１記載の考案によれば、複数層のメッシュ素材で形成した表材と、前記表材のメッシュ素材と同等か、或いは当該表材よりも硬質な複数層のメッシュ素材で形成した内材とを、前記表材、内材との間に隙間ができるように互いの縫い目を内側にして上部、下部を立体的に縫製して形成したマスク本体を着用することにより、メッシュ素材の通気性を利用して運動時の息苦しさや暑さを軽減しつつ、運動を快適に行うことが可能で、しかも、隙間の存在により汗が蒸れにくく呼吸がし易いという利点もある新規な運動用マスクを実現し提供することができる。
【００１４】
請求項２記載の考案によれば、複数層の伸縮性のある薄手のメッシュ素材から形成されるとともに、前面中心部に縫製ラインを有するように縫製して立体的な形状とした表材と、速乾性、冷感性があり、前記表材のメッシュ素材と比較して同等か、或いは１．１倍以上の厚手で硬度のある複数層の伸縮メッシュ素材で形成した立体的な内材とを、前記表材、内材との間に隙間ができるように立体的に縫製したマスク本体を着用することにより、メッシュ素材の通気性、伸縮性を利用して運動時の息苦しさや暑さを軽減しつつ、運動を快適に行うことが可能な運動用マスクを実現し提供することができる。
【００１５】
請求項３記載の考案によれば、２層以上の複数層の伸縮性のある薄手のメッシュ素材から形成されるとともに、前面中心部に縫製ラインを有するように縫製して立体的な形状とした表材と、速乾性、冷感性があり、前記表材のメッシュ素材と比較し同等か、或いは１．１倍以上の厚手で１〜２層からなる硬度のある伸縮メッシュ素材から形成されるとともに、前面中心部に縫製ラインを有するように縫製して立体的な形状とした立体的な内材とを、前記表材、内材との間に隙間ができるように互いの縫い目を内側にして上部、下部を立体的に縫製して形成したマスク本体と、前記マスク本体に取り付けた幅広のメッシュ素材からなる耳紐材と、を有する構成で、マスク本体を着用することにより、メッシュ素材の通気性、伸縮性、速乾性、冷感性を利用して運動時の息苦しさや暑さを軽減しつつ、運動を快適に行うことが可能な運動用マスクを実現し提供することができる。
【００１６】
請求項４記載の考案によれば、前記請求項１乃至３のいずれか１項に記載の考案において、前記表材を形成するメッシュ素材の穴の穴径は、０．０１ｍｍ以上１．０ｍｍ以下であり、前記内材を形成するメッシュ素材の穴の穴径は、０．０１ｍｍ以上０．８ｍｍ以下である構成とすることにより、前記請求項１乃至３のいずれか１項に記載の考案の効果を奏し、前記各メッシュ素材の穴の穴径により使用者の呼吸のし易さを確保できる運動用マスクを実現し提供することができる。
【００１７】
請求項５記載の考案によれば、前記請求項１乃至４のいずれか１項に記載の考案において、前記内材を形成する伸縮メッシュ素材は、表材を形成する伸縮性のあるメッシュ素材に比較し、伸縮性が０〜４０％程度低いものである構成とすることにより、前記請求項１乃至４のいずれか１項に記載の考案の効果奏し、前記両メッシュ素材の伸縮性の相違により、前記表材、内材との間に隙間の確保を確実にし、使用者の顔面の透けを回避できる運動用マスクを実現し提供することができる。
【００１８】
請求項６記載の考案によれば、前記請求項１乃至５のいずれか１項に記載の考案において、前記内材の色は、使用者の肌色に近似した色である構成とすることにより、前記請求項１乃至５のいずれか１項に記載の考案の効果を奏し、また、前記内材の色選定により、使用者の顔面の透けを回避できるとともに使用感の向上をも図れる運動用マスクを実現し提供することができる。
【図面の簡単な説明】
【００１９】
【図１】図１は本考案の実施例に係る運動用マスクの表材側から見た概略斜視図である。
【図２】図２は本実施例に係る運動用マスクにおいて内材を表出させた状態で半分に折り畳んだ態様を示す概略平面図である。
【図３】図３は本実施例に係る運動用マスクを使用者が着用した状態を示す概略側面図である。
【図４】図４は本実施例に係る運動用マスクにおける表材の４枚（片）を縫製して形成する２層のメッシュ素材、内材の２枚（片）を縫製して形成する１層のメッシュ素材の素材構成を示す説明図である。
【図５】図５は本実施例に係る運動用マスクにおける表材の２層のメッシュ素材、内材の１層のメッシュ素材の縫製工程を示す工程説明図である。
【図６】図６本実施例に係る運動用マスクにおけるマスク本体の縫製工程を示す工程説明図である。
【図７】図７は本実施例に係る運動用マスクにおける表材を形成するメッシュ素材、内材を形成するメッシュ素材のマスクパターンのサイズ説明図である。
【図８】図８は従来の一般的なマスクを示す概略側面図である。
【図９】図９は従来の一般的なガーゼマスク又は不織布マスクを示す概略平面図である。
【考案を実施するための形態】
【００２０】
本考案は、運動時の息苦しさや暑さを軽減しつつ、運動を快適に行うことが可能な新規な運動用マスクを実現し提供するという目的を、例えば４枚の伸縮性のある薄手のメッシュ素材から形成されるとともに前面中心部に縫製ラインを有するように縫製して立体的な２層の形状とした表材と、速乾性、冷感性があり、前記表材のメッシュ素材と比較し１．１倍以上の厚手で硬度のある例えば２枚の伸縮メッシュ素材の前面中心部に縫製ラインを有するように縫製して立体的な形状とした１層から形成した立体的な内材とを、前記表材、内材との間に隙間ができるように立体的に縫製したマスク本体と、前記マスク本体に取り付けた幅広のメッシュ素材からなる耳紐材と、を有する構成により実現した。
【実施例】
【００２１】
以下、図面を参照して、本考案の実施例に係る運動用マスクについて詳細に説明する。
【００２２】
本実施例に係る運動用マスク１は、図１乃至図３に示すように、例えば４枚の伸縮性のある薄手のメッシュ素材層から形成されるとともに、前面中心部に縫製ライン３を設けつつ縫製により立体的な形状とした２層の表材２と、速乾性、冷感性があり、前記表材２のメッシュ素材と比較し例えば１．１倍以上の厚手で硬度のある例えば２枚の伸縮メッシュ素材１層から形成するとともに、前面中心部に縫製ライン３を設けつつ縫製により立体的な形状とし図２に折り返して示すように伸縮メッシュ素材が外部に表出する状態で示す内材４とを、前記表材２、内材４との間に図３に示す隙間７ができるように互いの縫い目（表材２、内材４の各前面中心部の縫製ライン３）を内側にして上部、下部を立体的に縫製して形成したマスク本体５と、前記マスク本体５に取り付けた幅広のメッシュ素材からなる左右一対の耳紐材６、６と、を有し、図３に示すように、この運動用マスク１を幅広のメッシュ素材からなる耳紐材６を用いて、使用者Ｍが鼻口周りに着用するように構成している。
前記表材２は、図示例に限らず、４枚以上（例えば４〜８枚）の伸縮性のある薄手のメッシュ素材層から形成しても良く、また、前記内材４は、図示例に限らず、２層以上の伸縮メッシュ素材から形成しても良い。
【００２３】
前記内材４を形成する伸縮メッシュ素材は、表材２を形成する伸縮のあるメッシュ素材に比較し、伸縮性が０〜４０％程度低いものを用いている。
【００２４】
前記内材４の色は、使用者の肌色に近似した例えばベージュ色に設定している。
【００２５】
前記表材２を形成するメッシュ素材の穴の穴径は、０．０１ｍｍ以上１．０ｍｍ以下であり、前記内材４を形成するメッシュ素材の穴の穴径は、０．０１ｍｍ以上０．８ｍｍ以下に設定して、使用者Ｍの呼吸時の通気性を確保している。
【００２６】
図４は本実施例に係る運動用マスク１における表材２の２層のメッシュ素材、内材４の１層のメッシュ素材からなるメッシュ素材構成を示すものである。
【００２７】
本実施例では、表材２の４枚のメッシュ素材、内材４の２枚のメッシュ素材という伸縮性のある異なる質感の各メッシュ素材を用い、表材２、内材４間に空気の層である隙間７を設けるようにしているので、隙間７の存在により汗が蒸れにくく呼吸がし易いという利点がある。
また、前記内材４の２枚のメッシュ素材は、使用者Ｍの顔面が透けないように、表材２の４枚のメッシュ素材よりも厚く固いメッシュ素材とするものである。
更に、内材４の２枚のメッシュ素材の色は使用者Ｍの顔面の色に近似したベージュ系統のものを選択する。
【００２８】
次に、本実施例に係る運動用マスク１の前記表材２、内材４、及び、耳紐材６の縫製工程について図５、図６を参照して説明する。
【００２９】
図５上欄は、表材２におけるメッシュ素材の縫製工程を、図５下欄は内材４におけるメッシュ素材の縫製工程を示すものである。
【００３０】
前記表材２を形成するマスク形状の半分に相当するように両端辺を異なる曲率の円弧状に裁断した４枚のメッシュ素材のうち、２枚ずつを重ねて一組とし、これを二組使用し、突き合わせる円弧状部分（縦縫製部メッシュに相当する部分）を重ねて４重構造に縫製する。
【００３１】
これにより、図５上欄中央部に示す表材パーツ１１を形成する。図５上欄最右部は、表材パーツ１１を展開し内側面側から見た形態を示すものである。
図５上欄中央部において点線は縫い代１１ａを示すものである。
【００３２】
また、図５上欄に示すように前記内材４を形成するマスク形状の半分に相当するような両端辺を異なる曲率の円弧状に裁断した２枚のメッシュ素材を用い、突き合わせる円弧状部分（縦縫製部メッシュに相当する部分）を重ねて２重構造に縫製する。
【００３３】
これにより、図５下欄中央部に示す内材パーツ１２を形成する。
図５下最右部は、内材パーツ１２を展開し内側面側から見た形態を示すものである。
図５下欄中央部において点線は縫い代１２ａを示すものである。
【００３４】
前記表材パーツ１１、内材パーツ１２を展開した場合、縫い代１１ａ、１２ａがある外側面と、縫い代１１ａ、１２ａの無い内側面ができ上がる。
【００３５】
次に、図６を参照して、本実施例に係る運動用マスク１におけるマスク本体５の縫製工程を説明する。
【００３６】
図６左欄等に示すように前記表材パーツ１１、内材パーツ１２を用意し、内材パーツ１２の内側面に一対の耳紐材６の各端部を仮止め縫製し、次いで、図６中欄に示すように表材パーツ１１、内材パーツ１２の内側面同士を重ねてこれらに対して図６中欄に４箇所の点線で示すように、巻きロック縫製１３を行う。
【００３７】
また、使用者Ｍの鼻に相当する領域については、幅広の縫製にして、使用者Ｍの顔面への当たりが強くならないようにする。
【００３８】
次に、図６右欄等に示すように、内材パーツ１２の縫製がされていないカーブの部分から裏返すと、縫い代１２ａが内側に入り、使用者Ｍの顔面に当たる縫い代１２ａ部分はなくなる。
【００３９】
また、前記一対の耳紐材６は、マスク本体５の両側部において後方に突出するようになる。
【００４０】
前記表材２の４枚のメッシュ素材、内材４の２枚のメッシュ素材間には隙間７が存在する。
【００４１】
このような隙間７内に感染予防用のフィルターを入れるようにしても良い。
【００４２】
図７は、本実施例に係る運動用マスク１における表材２を形成するメッシュ素材、内材４を形成するメッシュ素材のマスクパターンのサイズを示すものであり、表材２になるメッシュ素材に対して内材４になるメッシュ素材は、全体として１〜７％程度小さく形成するが、図７に示す幅Ｗについては、同寸法とする。
【００４３】
これにより、使用者Ｍの口元の縫い代領域の強度が増し、伸縮性のある柔らかいメッシュ素材でも形状が崩れにくく、呼吸の際に口や鼻に張り付くことが無くなる利点がある。
【００４４】
ここで、本実施例に係る運動用マスク１に関して、本願の出願人が行った例えば表材２を形成するメッシュ素材に関する試験結果の一部について言及する。
【００４５】
メッシュ素材の穴の穴密度は、図７に示す幅Ｗ方向について１インチ当たり約４６個存在するものを用いた。
【００４６】
メッシュ素材に１．０ｋｇｆの負荷をかけて伸ばした場合の伸長率は、＋１１０％であった。
【００４７】
更に、メッシュ素材に負荷をかけて伸ばしその後、戻した場合の伸長回復率は、元のメッシュ素材の長さを１００としたとき戻したときの長さは１０３位であった。
【産業上の利用可能性】
【００４８】
本考案の運動用マスクは、前記したように、各種の運動時、例えば、コロナ禍、マスクを着用しないと行うことができないような集団での運動（例えば、バレリーナ、バレエダンサーの集団で構成されるバレエ団における演舞等）の実施時、息苦しさや暑さを軽減しつつ、集団での運動又は個々での運動を快適に行うことができることは勿論、業務用や日常生活用としても、広範に利用可能である。
【符号の説明】
【００４９】
１    運動用マスク
２    表材
３    縫製ライン
４    内材
５    マスク本体
６    耳紐材
７    隙間
１１    表材パーツ
１１ａ  縫い代
１２    内材パーツ
１２ａ  縫い代
１３    巻きロック縫製
Ｍ    使用者
【図１】
0003229427.tif 000003
【図２】
0003229427.tif 000004
【図３】
0003229427.tif 000005
【図４】
0003229427.tif 000006
【図５】
0003229427.tif 000007
【図６】
0003229427.tif 000008
【図７】
0003229427.tif 000009
【図８】
0003229427.tif 000010
【図９】
0003229427.tif 000011